(57)【要約】  ワイヤレス通信用のフェムトセル基地局を休眠モードとアクティブ・モードの間で切り替える方法が提供される。フェムトセル基地局は、マクロセル基地局のカバレッジ・エリア内に位置する。マクロセル基地局は、フェムトセル基地局と接続することを許可されたユーザ端末が、フェムトセル基地局のカバレッジ・エリア内にあるかどうかを決定し、前記決定に応じて、マクロセル基地局は、無線上でフェムトセル基地局に対して、フェムトセル基地局がモードを切り替えるためのコマンドを送信する。
2013542646.tif 000002
【特許請求の範囲】
【請求項１】
マクロセル基地局（２２）のカバレッジ・エリア内に位置するワイヤレス通信用のフェムトセル基地局（３０）を、休眠モードとアクティブ・モードの間で切り替え、
前記フェムトセル基地局と接続することを許可されたユーザ端末（３４）が、前記フェムトセル基地局のカバレッジ・エリア内にあるかどうかを決定し、
前記決定に応じて、前記フェムトセル基地局に対して、前記フェムトセル基地局がモードを切り替えるためのコマンドを送信する方法であって、
前記マクロセル基地局（２２）が、前記決定を実行し、前記コマンドを無線上で前記フェムトセル基地局（３０）に対して送信することを特徴とする方法。
【請求項２】
前記休眠モードにおいては、前記フェムトセル基地局は、パイロット信号伝送を行わず、前記アクティブ・モードにおいては、前記フェムトセル基地局は、パイロット信号伝送を行う、請求項１に記載の方法。
【請求項３】
前記フェムトセル基地局（３０）は、前記休眠モードにある間、前記コマンドを受信するように構成された無線レシーバ（５１）を備える、請求項１または請求項２に記載の方法。
【請求項４】
前記マクロセル基地局は、前記ユーザ端末が、前記フェムトセル基地局のカバレッジ・エリア内にあることを決定し、前記コマンド（図５：ｅ）は、前記フェムトセル基地局がアクティブ・モードに切り替わるためのものである、請求項１乃至３のいずれか１項に記載の方法。
【請求項５】
引き続いて前記マクロセル基地局は、前記ユーザ端末が、前記フェムトセル基地局のカバレッジ・エリア内にないことを決定し、前記マクロセル基地局は、無線上でさらなるコマンド（図５：ｈ）を前記フェムトセルに対して送信し、前記さらなるコマンドは、前記フェムトセル基地局が休眠モードに切り替わるためのものである、請求項４に記載の方法。
【請求項６】
前記マクロセル基地局（２２）は、前記ユーザ端末が、前記フェムトセル基地局のカバレッジ・エリア内にないことを決定し、また前記コマンドは、前記フェムトセル基地局が休眠モードに切り替わるためのものである、請求項１乃至３のいずれか１項に記載の方法。
【請求項７】
前記ユーザ端末が、許可されるかどうかの前記決定は、前記フェムトセルを使用することが許可されたユーザ端末の識別情報のリストを検査することによる、請求項１乃至６のいずれか１項に記載の方法。
【請求項８】
前記リストは、通信ネットワークにおいて前記マクロセル基地局（２２）に接続されたコア・ネットワーク（２５３）によって提供され、前記マクロセル基地局（２２）のメモリ（２３）に記憶される、請求項７に記載の方法。
【請求項９】
ネットワーク要素のカバレッジ・エリア内に位置するフェムトセル基地局を、休眠モードとアクティブ・モードの間で切り替えるように構成されたワイヤレス通信用のネットワーク要素であって、
前記ネットワーク要素は、前記フェムトセル基地局と接続することを許可されたユーザ端末（３４）が、前記フェムトセル基地局のカバレッジ・エリア内にあるかどうかを決定するように構成され、
前記ネットワーク要素は、前記決定に応じて、前記フェムトセル基地局がモードを切り替えるためのコマンドを送信するように構成される、ネットワーク要素において、
前記ネットワーク要素は、無線上で前記フェムトセル基地局（３０）に対して前記コマンドを送信するように構成されたマクロセル基地局（２２）であることを特徴とするネットワーク要素。
【請求項１０】
使用中に、前記ユーザ端末が前記フェムトセル基地局のカバレッジ・エリア内にあることを決定し、前記コマンド（図５：ｅ）は、前記フェムトセル基地局がアクティブ・モードに切り替わるためのものである、請求項９に記載のネットワーク要素。
【請求項１１】
使用中に、引き続いて前記マクロセル基地局は、前記ユーザ端末が前記フェムトセル基地局のカバレッジ・エリア内にないことを決定し、前記マクロセル基地局は、無線上でさらなるコマンドを前記フェムトセルに対して送信し、前記さらなるコマンド（図５：ｈ）は、前記フェムトセル基地局が休眠モードに切り替わるためのものである、請求項１０に記載のネットワーク要素。
【請求項１２】
使用中に、前記マクロセル基地局は、前記ユーザ端末が前記フェムトセル基地局のカバレッジ・エリア内にないことを決定し、前記コマンドは、前記フェムトセル基地局が休眠モードに切り替わるためのものである、請求項９または請求項１０に記載のネットワーク要素。
【請求項１３】
使用中に、前記ユーザ端末が許可されるかどうかの前記決定は、前記フェムトセルを使用することを許可されたユーザ端末の識別情報のリストを検査することによる、請求項９乃至１２のいずれか１項に記載のネットワーク要素。
【請求項１４】
請求項１３に記載のネットワーク要素と、前記マクロセル基地局（２２）に接続されたコア・ネットワーク（２５３）とを備え、使用中に、前記リストは、コア・ネットワークによって提供され、前記マクロセル基地局のメモリ（２３）に記憶される、ワイヤレス通信ネットワーク。
【発明の詳細な説明】
【技術分野】
【０００１】
本発明は、通信に関し、詳細には、ワイヤレス通信に関する。
【背景技術】
【０００２】
ワイヤレス通信システムがよく知られている。多数のそのようなシステムは、複数のセルとして知られている、ひとまとまりの無線カバレッジ・エリアによって無線カバレッジが提供されるという点において、セルラー方式である。無線カバレッジを提供する基地局は、各セルの中に位置している。従来の基地局は、比較的大きな地理的地域においてカバレッジを提供し、また対応するセルは、多くの場合にマクロセルと称される。
【０００３】
マクロセル内に、より小さなサイズの複数のセルを確立することが可能である。マクロセルよりも小さなセルは、小型セル、マイクロセル、ピコセル、またはフェムトセルと称されることがあるが、マクロセルよりも小さなセルの場合には、一般にフェムトセルという用語が使用される。フェムトセルを確立する１つのやり方は、マクロセルのカバレッジ・エリア内の比較的限られた範囲内で動作するフェムトセル基地局を提供することである。フェムトセル基地局の使用の一例は、建物の内部でワイヤレス通信カバレッジを提供することである。
【０００４】
フェムトセル基地局は、比較的低い送信電力のものであり、それゆえに各フェムトセルは、マクロセルに比べて小型のカバレッジ・エリアのものである。典型的なカバレッジ範囲は、数十メートルである。
【０００５】
フェムトセル基地局は、例えばマクロセル・ネットワークのコア・ネットワークに接続するためにフェムト基地局がそれ自体を既存のマクロセル・ネットワーク内に統合できる、ユーザによるプラグ・アンド・プレイ展開をサポートするための自動構成特性を有する。
【０００６】
フェムトセル基地局は、主として、特定の家またはオフィスに属するユーザを対象としている。フェムトセル基地局は、個人用アクセス手段、または公共アクセス手段とすることができる。個人用アクセス手段であるフェムトセル基地局においては、アクセスは、登録されたユーザだけに、例えば、家族のメンバーまたは従業員の特定のグループだけに制限される。公共アクセス手段であるフェムトセル基地局においては、他のユーザもまた、登録されたユーザが受け取るサービス品質（Ｑｕａｌｉｔｙ  ｏｆ  Ｓｅｒｖｉｃｅ）を保護するある種の制約の下、フェムトセル基地局を使用することもできる。
【０００７】
１つの知られているタイプのフェムトセル基地局は、「バックホール（ｂａｃｋｈａｕｌ）」として、すなわちコア・ネットワークに接続するためにブロードバンド・インターネット・プロトコル接続を使用している。１つのタイプのブロードバンド・インターネット・プロトコル接続は、デジタル加入者回線（ＤＳＬ：Ｄｉｇｉｔａｌ  Ｓｕｂｓｃｒｉｂｅｒ  Ｌｉｎｅ）である。ＤＳＬは、フェムトセル基地局のＤＳＬトランスミッタ・レシーバ（「トランシーバ」）をコア・ネットワークに接続する。ＤＳＬにより、フェムトセル基地局を経由して提供される音声通話サービスおよび他のサービスをサポートすることが可能になる。フェムトセル基地局は、無線通信用のアンテナに接続された無線周波数（ＲＦ：ｒａｄｉｏ  ｆｒｅｑｕｅｎｃｙ）トランシーバも含んでいる。そのような有線のブロードバンド・バックホールに対する代替案は、ワイヤレス・バックホールを有することである。
【０００８】
フェムトセル基地局は、フェムトと称されることがある。
【０００９】
消費電力を低減させるために、省電力モードが、フェムト内を含めて基地局内に導入されてきている。省電力モードにおいては、様々なハードウェア・コンポーネントが、スイッチをオフにされる。次いで、基地局は、無線送信を行わず、その結果、ユーザ端末によって検出不可能となる。
【発明の概要】
【発明が解決しようとする課題】
【００１０】
添付の独立請求項を参照されたい。いくつかの好ましい特徴が、従属請求項に提示されている。
【課題を解決するための手段】
【００１１】
本発明の一例は、ワイヤレス通信用のフェムトセル基地局を休眠モードとアクティブ・モードの間で切り替える方法である。フェムトセル基地局は、マクロセル基地局のカバレッジ・エリア内に位置する。マクロセル基地局は、フェムトセル基地局と接続することを許可されたユーザ端末が、フェムトセル基地局のカバレッジ・エリア内にあるかどうかを決定し、前記決定に応じて、マクロセル基地局は、無線でフェムトセル基地局に対して、フェムトセル基地局がモードを切り替えるためのコマンドを送信する。
【００１２】
本発明の好ましい実施形態は、オーバー・ザ・エア無線伝送を使用して、フェムトセル基地局のアンダーレイ・マクロセル基地局によりフェムトセル基地局のウェイク・アップを可能にする技法を提供している。その伝送は、休眠モードにあるときでさえ、フェムトセル基地局によって検出されるマクロセルのパイロット・チャネルの上でブロードキャストされることが好ましい。その伝送は、ユーザ端末が使用することを許可されるフェムトセル基地局に対するページング・メッセージとすることができる。フェムトセル基地局は、ユーザ端末のカバレッジを提供することを期待して、休眠モードを出ることによって応答する。
【００１３】
好ましい実施形態においては、ユーザ端末がマクロセルを離れるときに、マクロセル基地局は、オーバー・ザ・エア無線伝送によってフェムトセル基地局に通知し、そのようにして、フェムトセル基地局は、休眠モードに戻る。
【００１４】
好ましい実施形態により、マクロセルは、必要性に応じてフェムトセルの電力を上げ、また通信コア・ネットワークが関与する必要がないので、分散制御を行うことができ、その結果、制御シグナリングが減少する。
【００１５】
本発明の実施形態について、次に、例を挙げながら、図面を参照して説明する。
【図面の簡単な説明】
【００１６】
【図１】知られているフェムト・ウェイク・アップ・プロシージャ（先行技術）を示す図である。
【図２】本発明の第１の実施形態によるワイヤレス通信ネットワークを示す図である。
【図３】図１に示される１つのマクロセル内のフェムトセル基地局展開例を示す図である。
【図４】フェムトセル基地局例をより詳細に示す図である。
【図５】フェムトセル基地局が位置しているカバレッジ・エリア内のマクロセル基地局からの無線の制御メッセージングによりフェムトセル基地局モードを制御することを示すメッセージ・シーケンス図である。
【発明を実施するための形態】
【００１７】
知られているアプローチにおいては、基地局のカバレッジ・エリアの中にあるユーザ端末がアクティブ・モードにあるならば、セルラー方式基地局は、ユーザ端末のロケーションに応じて省電力の休眠モードに入るべきか、それともそこから出るべきかを決定できることについて本発明者は考慮した。これは、セルラー方式ネットワークが、とりわけ基地局、または基地局がアタッチされるコア・ネットワークが、ユーザ端末がコール・セッションにあるときにユーザ端末を検出することができるからである。
【００１８】
逆に、知られているアプローチにおいては、ユーザ端末が、アイドル・モードにあるときに、ユーザ端末は、あるページング・エリア（このユニバーサル・モバイル・テレコミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の例ではロケーション・エリアと呼ばれる）から別のページング・エリアへと移動しない限り、そのロケーションについての情報をネットワークに返信しないことを本発明者等は認識した。ロケーション・エリアが、一般的に大きなエリアを対象として含み、またそれゆえに多数のセルを対象として含むので、この知られているアプローチにおいては、省電力モードにある基地局が、アイドル・モードにあるユーザ端末がそのカバレッジ・エリアに入ったかどうか分からないことを本発明者等は認識した。言い換えれば、知られているアプローチにおいては、基地局をアクティブ化して、それを省電力モードから出すことは、ユーザ端末がアクティブ・モードにあるときにしか行うことができない。
【００１９】
本発明者等は、次いで、図１に示されるような代替案を考えた。図１に示されるように、常にスイッチをオンにされたマクロセル基地局２と、フェムト４と、ユーザ端末６とが存在する。図に示されるように、第１の時点（ａ）において、ユーザ端末は、アイドル・モードにあり、マクロセルの上にキャンプされる（言い換えれば、マクロセル基地局に接続されるアイドル・モード）。次いで、フェムトは、休眠モードになる。
【００２０】
引き続いて、ユーザ端末は、アクティブ・モードに進み、またマクロセルに対してアクティブな接続を行う。これは、ユーザ端末をフェムトによって検出可能にする。例えば、時刻（ｂ）において、ユーザ端末は、アクティブであり、またマクロセルとのコール接続を経由して送信を開始する。次いで、ユーザ端末は、フェムトが、スニファー・レシーバを、すなわちマクロセルの周波数帯域において動作する信号検出器を有するので、フェムトによって検出可能である。
【００２１】
ユーザ端末についてのフェムトの検出は、電源を投入するように、言い換えれば、省電力スリープ・モードからアウェイク・モードへとウェイク・アップするようにフェムトをトリガする。この後に、ユーザ端末とマクロセル基地局との間のコール接続は、ユーザ端末とフェムトとの間にあるように転送される。具体的には、例えば、図１に示されるような時刻（ｃ）において、フェムトは、ユーザ端末によって検出されるパイロット信号の伝送を開始する。次いで、コールは、マクロセル基地局からフェムトへとハンドオーバーされる。この代替案ではユーザ端末をマクロセル基地局からフェムトへとハンドオーバーする必要があることを考慮して、追加のシグナリングをネットワークに導入し、またユーザ端末がアクティブ・モードに入ることを必要とすることに本発明者等は認識した。
【００２２】
次いで、本発明者は、下記で説明されるような本発明の諸例について考慮し、これらの例のうちの少なくともいくつかは、ユーザ端末がアクティブ・モードにあることを必要としない。
【００２３】
本発明者等は、次に、本発明の一実施形態例について詳細に説明し、まずフェムトセル基地局を含むネットワークについて説明し、次いで無線上でマクロセルによりフェムト制御を行うことについて詳細に見る。
【００２４】
ネットワーク
図２および３に示されるように、それを通してユーザ端末３４がローミングすることができる、ワイヤレス通信のためのネットワーク１０は、２つのタイプの基地局を、すなわち、マクロセル基地局とフェムトセル基地局と（後者は、「フェムト」と呼ばれることがある）を含んでいる。１つのマクロセル基地局２２が、図２および３において、簡単にするために示されている。各マクロセル基地局は、多くの場合にマクロセルと称される無線カバレッジ・エリア２４を有する。マクロセル２４の地理的範囲は、マクロセル基地局２２の能力と、周囲を取り巻く地形とに依存する。
【００２５】
マクロセル２４の内部において、各フェムトセル基地局３０は、対応するフェムトセル３２の内部のワイヤレス通信を提供する。フェムトセルは、無線カバレッジ・エリアである。フェムトセル３２の無線カバレッジ・エリアは、マクロセル２４の無線カバレッジ・エリアよりも遥かに小さい。例えば、フェムトセル３２は、サイズがユーザのオフィスまたは家に対応する。
【００２６】
図２に示されるように、ネットワーク１０は、無線ネットワーク制御装置、ＲＮＣ（ｒａｄｉｏ  ｎｅｔｗｏｒｋ  ｃｏｎｔｒｏｌｌｅｒ）、１７０によって管理される。無線ネットワーク制御装置、ＲＮＣ、１７０は、例えば、バックホール通信リンク１６０を経由してマクロセル基地局２２と通信することにより、オペレーションを制御する。無線ネットワーク制御装置１７０は、基地局によってサポートされるセルの間の地理的関係についての情報を含む近隣リストを保持する。さらに、無線ネットワーク制御装置１７０は、ワイヤレス通信システム１０の内部のユーザ装置のロケーションについての情報を提供するロケーション情報を保持する。無線ネットワーク制御装置１７０は、回路交換網およびパケット交換網を経由してトラフィックをルーティングするように動作可能である。回路交換されたトラフィックでは、無線ネットワーク制御装置１７０が通信することができる相手のモバイル交換局２５０が、提供される。モバイル交換局２５０は、回路交換網と、とりわけ公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）２１０と通信する。パケット交換トラフィックでは、ネットワーク制御装置１７０は、サービング汎用パケット無線サービス・サポート・ノード（ＳＧＳＮ：ｓｅｒｖｉｎｇ  ｇｅｎｅｒａｌ  ｐａｃｋｅｔ  ｒａｄｉｏ  ｓｅｒｖｉｃｅ  ｓｕｐｐｏｒｔ  ｎｏｄｅｓ）２２０、およびゲートウェイ汎用パケット無線サポート・ノード（ＧＧＳＮ：ｇａｔｅｗａｙ  ｇｅｎｅｒａｌ  ｐａｃｋｅｔ  ｒａｄｉｏ  ｓｕｐｐｏｒｔ  ｎｏｄｅ）１８０と通信する。次いで、ＧＧＳＮは、例えば、インターネット１９０などのパケット交換コアと通信する。
【００２７】
ＭＳＣ２５０と、ＳＧＳＮ２２０と、ＧＧＳＮ１８０と、オペレータＩＰネットワーク２１５とは、いわゆるコア・ネットワーク２５３を構成する。ＳＧＳＮ２２０とＧＧＳＮ１８０とは、オペレータＩＰネットワーク２１５によってフェムトセル制御装置／ゲートウェイ２３０に接続される。
【００２８】
フェムトセル制御装置／ゲートウェイ２３０は、インターネット１９０を経由してフェムトセル基地局３２に接続される。フェムトセル制御装置／ゲートウェイ２３０に対するこれらの接続は、ブロードバンド・インターネット・プロトコル接続（「バックホール」）の接続である。
【００２９】
マクロセル２４の内部のモバイル端末３４が、知られているようにして、マクロセル基地局２２と通信することが、可能である。モバイル端末３４が、モバイル端末がフェムトセル基地局３０の内部の通信のために登録されるフェムトセル３２の中に入るときには、マクロセルからフェムトセルへとモバイル端末との接続をハンドオーバーすることが望ましい。
【００３０】
図３に示されるように、フェムトセル基地局３４は、マクロセルのカバレッジ・エリア内にあり、そのようにして、マクロセル基地局２２は、フェムトについての「ホーム」マクロセル基地局と考えることができる。マクロセル基地局２２は、アンテナ塔２１と、ローカル・データベース２３とを含む。ローカル・データベース２３は、マクロセル・カバレッジ・エリア２４の内部に位置しているすべてのフェムトについての情報を含んでいる。
【００３１】
図３に示されるように、コア・ネットワーク２５３は、ネットワーク・フェムトセル加入データベース２１６を含んでいる。この例においては、より具体的には、ネットワーク・フェムトセル加入データベース２１６は、オペレータＩＰネットワーク２１５の中に位置している。このデータベース２１６は、フェムトが、購入され、登録され、また展開されるときに、フェムトの所有者によって提供される情報を含んでいる。その情報は、フェムトが展開されるロケーションの識別子を、例えば、フェムト所有者のアドレスを含んでいる。情報は、フェムトに登録され、またそのようにしてフェムトに接続することを許可されたユーザ端末のリストも含んでいる。
【００３２】
図４に示されるように、フェムト３０は、スリープ・モードにあるときでさえ、マクロセル基地局からのブロードキャスト（単数または複数）を受信するようにアクティブである「スニファー」無線レシーバ５１を含んでいる。スニファー・レシーバ５１は、プロセッサに、すなわち、スリープ・モードが選択されるか、それともアクティブ・モードが選択されるかに応じて、フェムトのある種の他のコンポーネント（具体的には示されていない）をアクティブにする／非アクティブにするように動作するモード制御装置５３に接続される。
【００３３】
マクロセル基地局によるウェイク・アップ・ブロードキャスト
一例においては、フェムトの無線上でのマクロセルにより開始されたウェイク・アップが可能にされる。
【００３４】
図５に示されるように、フェムト３０が展開されるとすぐに、コア・ネットワーク２５３は、加入データベース２１６に記憶された、フェムトのロケーションを識別する情報（すなわち、この例におけるフェムト所有者のアドレス）を使用してどのマクロセルの中にフェムトが存在するかを決定する（ステップａ）。次いで、コア・ネットワークは、フェムトの登録されたユーザ端末の情報をマクロセル基地局２２に対して送信する（ステップｂ）。マクロセル基地局２２は、マクロセル基地局２２のローカル・データベース２３にこの情報を記憶する（ステップｃ）。このようにして、マクロセル基地局２２は、マクロセル２４内に位置するすべてのフェムトの識別情報と、これらの各フェムトについての各々の登録されたユーザ端末の識別情報との記録を保持する。
【００３５】
フェムト３０は、最初にスリープ・モードにあり、このスリープ・モードでは、多数の内部コンポーネントは、電力を落とされるが、以上で述べたように、「スニファー」レシーバ５１は、マクロセルからの伝送を受信し、復号するようにアクティブのままである。スリープ・モードにおいては、フェムトは、パイロット信号伝送を送信しない。
【００３６】
ユーザ端末３４が、マクロセル２４に入るとすぐに、マクロセル基地局２２は、ユーザ端末を検出し、またそのローカル・データベース２３をチェックして（ステップｄ）、ユーザ端末が、マクロセル２４内に位置するフェムトのうちのどれかの登録されたユーザ端末であるかどうかを決定する。ユーザ端末が、そのように識別されるとすぐに、マクロセル基地局２４は、ユーザ端末が登録されたフェムトに対して無線上で無線により指示メッセージを送信する（ステップｅ）。指示メッセージは、フェムトがウェイク・アップするための指示であり、言い換えれば、アクティブ・モードに切り替えて、ユーザ端末をサーブする準備をするための指示である。指示メッセージは、直接無線接続の形式であり、マクロセル基地局によって開始され、制御される。具体的には、指示メッセージは、フェムトセル基地局のスニファー・レシーバによって監視されるマクロセルのパイロット・チャネルの上で送信されるページング・メッセージである。
【００３７】
フェムトは、電力を落とされたコンポーネントの電力を上げること、およびパイロット信号伝送を行うことにより、アクティブ・モードに切り替えて（ステップｆ）、ユーザ端末に接続し、またユーザ端末をサーブする準備をすることにより、反応する。
【００３８】
その後に、ユーザ端末が、マクロセルのカバレッジ・エリアを離れていると決定する（ステップｇ）とすぐに、マクロセル基地局は、フェムトにスリープ・モードに入るように指示する指示メッセージをフェムトに対して無線上で送信する（ステップｈ）。フェムトは、スリープ・モードに入ること（ステップｉ）により応答する。
【００３９】
この例においては、マクロセル基地局２２は、ユーザ端末がアクティブ・モードにあり、言い換えれば、コールまたはデータのセッションにおいて接続されるときに、いつユーザ端末が、そのカバレッジ・エリアの中にあるかを、自動的に知る。しかしながら、ユーザ端末のスイッチがオンにされるが、アイドル・モードにあるときには、別の技法を使用して、ユーザ端末の存在を検出する。例えば、ユーザ端末が、マクロセル基地局２２のページング・エリア（このユニバーサル・モバイル・テレコミュニケーション・システム（ＵＭＴＳ）の例においてロケーション・エリアと呼ばれる）に移動するときに、ユーザ端末は、モビリティ・プロシージャを実行する。
【００４０】
いくつかの変形形態
それ以外の類似の実施形態においては、フェムトのアクティブ・モードに対するシフトは、コア・ネットワークによって指示される。これは、フェムトのコア・ネットワークにより開始された電力の上昇と考えることができる。セルラー方式ネットワーク、とりわけネットワーク・フェムトセル加入データベースを含むオペレータのＩＰネットワークは、ユーザ端末のロケーションとしてのよい情報を有しており、これを使用して、電力を上げるべき適切なフェムトを選択する。アクティブ・モードに切り替えるべきコマンドは、フェムトが存在するカバレッジ・エリアの中のマクロセル基地局から直接に、無線上でフェムトに対して送信される。
【００４１】
それ以外の類似した実施形態においては、マクロセルは、そのフェムトが行き過ぎた干渉を引き起こしていることを決定するとすぐに、フェムトがスリープ・モードに切り替わるためのコマンドを無線上で送信し、またフェムトがアクティブ・モードに切り替わって、マクロセルが混雑しているときに負荷バランシングを実行するコマンドを送信する。
【００４２】
一般
本発明は、その本質的な特性を逸脱することなく、他の特定の形態で実施されることもある。例えば、他の実施形態は、基地局がより大きなカバレッジ・エリアを有しており、またそのようにしていわゆる小型セル展開など、より小さなカバレッジ・エリアを有する基地局の上に重なる、他のネットワークに関する。他の実施形態は、ロング・ターム・エボリューション（ＬＴＥ：Ｌｏｎｇ  Ｔｅｒｍ  Ｅｖｏｌｕｔｉｏｎ）、ＷｉＭＡＸなど、様々なセルラー方式技術に対して適用可能である。
【００４３】
説明された実施形態は、すべての点において、例示的であり、限定的なものにすぎないと考えるべきである。本発明の範囲は、それゆえに、上記の説明によってではなく、添付の特許請求の範囲によって示される。特許請求の範囲の均等物の意味および範囲の内部に含まれるすべての変更形態は、それらの範囲内に包含されるべきである。
【００４４】
当業者なら、様々な上記で説明された方法のステップは、プログラムされたコンピュータによって実行され得ることを簡単に認識するであろう。いくつかの実施形態は、プログラム・ストレージ・デバイスに、例えば、デジタル・データ・ストレージ媒体に関連しており、これらのプログラム・ストレージ・デバイスは、マシン読取り可能、またはコンピュータ読取り可能であり、また命令のマシン実行可能なプログラム、またはコンピュータ実行可能なプログラムを符号化し、そこでは前記命令は、前記上記で説明された方法のステップの一部または全部を実行する。プログラム・ストレージ・デバイスは、例えば、デジタル・メモリ、磁気ディスクや磁気テープなどの磁気ストレージ媒体、ハード・ドライブ、または光学的に読取り可能なデジタル・データ・ストレージ媒体とすることができる。いくつかの実施形態は、上記で説明された方法の前記ステップを実行するようにプログラムされたコンピュータを必要とする。
【図１】
2013542646.tif 000003
【図２】
2013542646.tif 000004
【図３】
2013542646.tif 000005
【図４】
2013542646.tif 000006
【図５】
2013542646.tif 000007
【国際調査報告】
2013542646.tif 000008
2013542646.tif 000009
2013542646.tif 000010